(57)【要約】【課題】１人でも楽に作業ができ、効果的にメンテナンス等を行うことのできる照明装置を提供する。【解決手段】平行摺動照明カバー２及び昇降摺動照明カバー３を並設した照明装置１であって、平行摺動照明カバー２を列方向に摺動可能に取り付けることができる平行摺動レール部４１と、列方向の少なくとも一つの昇降摺動照明カバー３をその照明面２３方向に照明カバーの高さ分以上摺動可能に取り付けることができる昇降摺動レール部５とを備えることにより、昇降摺動照明カバー３の端部を摺動させて、該照明カバー面を開口させることができ、その後、隣接の平行摺動照明カバー２を順次前記開口側に摺動させることにより、隣接面を開口させることができる。【選択図】　図１
2004039441.tif 000002
【特許請求の範囲】
【請求項１】
照明カバーを並設した照明装置であって、照明カバーを列方向に摺動可能に取り付けることができる平行摺動レール部と、列方向の少なくとも一つの照明カバーをその照明面方向に照明カバーの高さ分以上摺動可能に取り付けることができる昇降摺動レール部とを備えた照明装置。
【請求項２】
昇降摺動レール部は、摺動方向の前部を略垂直方向に、後部を斜め方向に照明カバーが摺動可能な構成とした請求項１に記載の照明装置。
【請求項３】
昇降摺動レール部は、摺動方向の前部に配設したクランク状折曲のクランクレール部と、後部に配設した一定角度で傾斜の傾斜レール部とを備えた構成としてなる請求項１又は２に記載の照明装置。
【請求項４】
昇降摺動レール部は、摺動方向の前部に配設したコの字状折曲のコの字レール部と、後部に配設した一定角度で傾斜の傾斜レール部とを備えた構成としてなる請求項１又は２に記載の照明装置。
【請求項５】
照明カバー側部に昇降摺動ブラケット又は平行摺動ブラケットを立設し、これに固着したローラーを昇降摺動レール部又は平行摺動レール部に転動自在に嵌合する構成とした請求項１〜４のいずれかに記載の照明装置。
【請求項６】
照明カバーに開閉機構を備えた構成を有する請求項１〜５のいずれかに記載の照明装置。
【請求項７】
開閉機構は、照明カバー側部の一端側には、吊りアームブラケットを立設し、これに一端寄りにローラーを固着した適宜長さの吊りアームの他端寄りを回動可能にかつ適宜箇所を係止可能に連結させ、照明カバー側部の他端側には、ローラーを固着した昇降摺動ブラケット又は平行摺動ブラケットを立設し、両ローラーを昇降摺動レール部又は平行摺動レール部と転動自在に嵌合する構成とした請求項６に記載の照明装置。
【発明の詳細な説明】
【０００１】
【発明の属する技術分野】
本発明は、天井や壁面などに設ける照明装置、特に、大型の照明カバーをメンテナンス等に際して移動可能に配設するのに好適な照明装置に関する。
【０００２】
【従来の技術】
美術館、博物館やロビー或いはビルの室内などにおいて、天井面等に多数の蛍光管等の光源を配し、光源を覆うように透光性・非透視性クロスシート等により形成した複数の照明カバーを並設し、光を拡散させソフトな光を与える照明装置が近年多く使用されている。
これら照明カバーは、天井面等に吊下げて設置されており、例えばアルミ材等で形成した矩形の枠を天井から吊下げ、照明カバーを上下方向に摺動可能なガイドパイプ乃至ばねなどで枠に連結し、照明装置とするものである。
【０００３】
【発明が解決しようとする課題】
しかし、上記照明装置では、光源の取替えや照明カバー内の掃除などメンテナンスをするときには、照明カバーを一つづつ照明面と直交方向に引き外し、押し嵌める作業を繰り返さなければならず、押し嵌めるときの位置決めが煩わしく、大型のものでは１人で作業し難いなど作業効率上問題があった。
そこで本発明は、上記問題に鑑み、簡便に、楽に、１人でも作業が行うことができ、特に大型の照明カバーほど効果的にメンテナンスが行えるようにした照明装置を提供することにある。
【０００４】
【課題を解決するための手段】
本発明は、上記課題を解決するために、照明カバーを並設した照明装置であって、照明カバーを列方向に摺動可能に取り付けることができる平行摺動レール部と、列方向の少なくとも一つの照明カバーをその照明面方向に照明カバーの高さ分以上摺動可能に取り付けることができる昇降摺動レール部とを備えて照明装置を構成したことを特徴とするものである。上記昇降摺動レール部は、摺動方向の前部を略垂直方向に、後部を斜め方向に照明カバーが摺動可能な構成として形成するのが好ましく、例えば摺動方向の前部に配設したクランク状折曲のクランクレール部と、後部に配設した一定角度で傾斜の傾斜レール部とを備えた構成とすることができ、或いは摺動方向の前部に配設したコの字状折曲のコの字レール部と、後部に配設した一定角度で傾斜の傾斜レール部とを備えた構成とすることができる。
上記照明装置は、照明カバー側部に昇降摺動ブラケット又は平行摺動ブラケットを立設し、これに固着したローラーを昇降摺動レール部又は平行摺動レール部に転動自在に嵌合する構成とするのが好ましい。
【０００５】
このようにすることにより、複数の照明カバーを配した場合は、昇降摺動レール部に取り付けた一の照明カバーを、隣接照明カバーの照明面外側に重なるように摺動させて、上記カバー面を開口させることができるため、この開口内をメンテナンスすることができ、その後、重なった隣接の両照明カバーを共に平行摺動レール部に沿って上記開口側に摺動させることにより、上記隣接面が開口するので、この開口面内をメンテナンスすることができる。
上記一の照明カバーの逆側に隣接する照明カバーは、この一の照明カバー位置の開口に向かって平行に摺動させて開口を設けることができ、さらに隣接する照明カバーがあっても、順次平行摺動させて順次開口を形成することができる。戻し操作により、元のカバー状態に復元できる。
【０００６】
昇降摺動レール部は、摺動方向の前部を略垂直方向に、後部を斜め方向に照明カバーが摺動可能な構成とし、好ましくはクランクレール部を有した昇降摺動レール部とすれば、一の照明カバーの一端を一端方向にわずかに摺らせつつ照明面外方に引き出すと、この一の端部は、クランクレール部に沿い照明面外側にせり出し、そのまま平行摺動させれば、照明カバーの他端部は、傾斜レール部に沿い徐々に照明面側にせり出していくこととなる。このため、前端部を操作するだけで一人でも照明カバーを摺動させ、一の照明カバー部を開口させることができ、メンテナンス等の作業を効率よく、安全にすることができる。
【０００７】
コの字レール部を有した昇降摺動レール部とすれば、照明カバーの一端を他端方向にわずかに摺らせつつ照明面外方に引き出し、後は前記同様にして照明カバーを摺動させ、開口させることができる。
【０００８】
照明カバーに開閉機構を備えることもできる。また、照明カバー側部の一端側には、吊りアームブラケットを立設し、これに一端寄りにローラーを固着した適宜長さの吊りアームの他端寄りを回動可能にかつ適宜箇所を係止可能に連結させ、照明カバー側部の他端側には、ローラーを固着した昇降摺動ブラケット又は平行摺動ブラケットを立設し、両ローラーを昇降摺動レール部又は平行摺動レール部と転動自在に嵌合する構成とすれば、照明カバーの吊りアームを備えた側の一端部を引き出すと、吊りアーム及び吊りアームブラケットが回転可能に連結されているため照明カバーの一端部が外方にせり出し、照明カバーが傾斜した格好となって設置位置から外方に拡開するので、照明面内面側の清掃等を行うことができる。
【０００９】
上記照明装置を、複数列に配置して広面積の照明装置とすることができ、各列において少なくとも一の照明カバーを昇降摺動レール部及び平行摺動レール部に連結させ、他の照明カバーを平行摺動レール部に連結させて合体装置とすることができる。
照明カバーは、透光性シート乃至プレート、ルーバー構造等、任意な構造体が使用可能である。
【００１０】
【発明の実施の形態】
以下、本発明の好適な実施形態を図面により説明する。
図１〜７は、本発明の照明装置の一例を示した図、図８は、腕部材の一例を示した図、図９〜１１は、ロック機構の一例を示した図、図１２、１３は、開閉機構の一例を示した図、図１４は、複数の照明カバーを配列した一例の図、図１５は、クランクレール部を略コの字状に形成した実施例の図を示す。
【００１１】
図１は、天井に設置した隣接２個の照明カバーを示している。この照明装置１は、平行摺動照明カバー２、昇降摺動照明カバー３、平行摺動レール部４１、４２及び昇降摺動レール部５を構成するクランクレール部５１及び傾斜レール部５２を主な構成として備えている。
【００１２】
平行摺動照明カバー２は、中央を開口させた略矩形状の枠体２１に、透光性に優れたガラスクロス等のシートクロス２２を下面側に張設して照明面２３とし、枠体２１の四隅付近上側に、略Ｌ字形に折曲した板状の平行摺動ブラケット２４を立設したものである。
枠体２１は、断面角形の内側面の少なくとも下部を下方が開拡する傾斜面２５とした形状とし、光源からの照明光を遮断する部分を可能な限り少なくして隣接照明面間に影ができにくくした構成とすることが好ましい。
【００１３】
シートクロス２２は、枠体２１に適合するよう略矩形状に切断したものであり、グラスファイバー製クロスを基布とし、表面にシリコンコーティングを施したもの等、透光性に優れ、照明の眩しさを防止し、ソフトな明るさにすることができるものとし、防炎性や防汚性にも優れているものが建築物内の照明に使用するには好ましい。
また、シートクロス２２は、上記材質以外でも、適度な透光性があればよく、適度な柔軟性をもつものが一層好ましく、例えばフッ素樹脂、テフロン樹脂、シリコン樹脂などでもよい。
シートクロス２２を枠体２１に張り付ける際は、枠体２１の照明面２３側にシートクロス２２を張設し、枠体２１の外面又は上面に巻き付けるようにしてビスなどにより取り付け固定するのが好ましい。
【００１４】
平行摺動ブラケット２４は、断面略Ｌ字形に折曲した板状の本体２６の立上がった取付面２７が内側に面するように枠体２１の上面側部にビス、ボルト又は溶接などにより固定して、平行摺動レール部４１の内側に対面するように配設するようにする。図２に示すように、取付面２７の中央上方寄りには、取付孔２８が穿設され、平行摺動レール部４１に転動自在に嵌合して照明カバー２を摺動させるローラー２９を取り付けてある。
【００１５】
昇降摺動照明カバー３は、上記平行摺動照明カバー２と同じく、枠体２１の下面側にクロスシート２２を張設して照明面２３とし、上面側の四隅付近に昇降摺動ブラケット３１をビス、ボルト又は溶接などにより固定してある。
昇降摺動ブラケット３１は、断面略Ｌ字形に折曲した板状の本体３２の立上がった取付面３３が外側に面するよう固定して昇降摺動レール部５の外側に対面するように配設する。図３に示すように、取付面３３の中央上方寄りには、取付孔３４が穿設され、平行摺動レール部４２及び昇降摺動レール部５に転動自在に嵌合して昇降摺動照明カバー３を摺動させるローラー２９が取り付けてある。上記昇降摺動ブラケット３１の取付面３３の高さは、前記平行摺動ブラケット２４の取付面２７の高さよりも高くしてある。
【００１６】
平行摺動レール部４１は、Ｃチャンネル状の照明カバー支持材であり、照明カバー分の間隔を維持して平行に、かつ照明面全長に亘る長さで天井に支持させて架設されるものである。
この平行摺動レール部４１は、開口部が照明カバー内方を向くように設置し、この開口部に平行摺動ブラケット２４の取付面２７が対面するように配置し、ローラー２９を転動自在に嵌合させて、平行摺動照明カバー２が平行に摺動できるようにしてある。
【００１７】
昇降摺動レール部５は、クランクレール部５１及び傾斜レール部５２を備えており、クランクレール部５１は、図４（Ａ）に示すように、平行摺動レール部４１と同形状のレール材を開口部がクランク状に折曲するように形成してあり、昇降摺動照明カバー３の一端部から上方に平行摺動照明カバー２本体の高さ分以上の長さで立ち上がった垂直部５３を有し、その上端を照明カバー内方に平行に折曲して、若干長さの載置部５４を形成し、垂直部５３の下端を水平に折曲して隣接カバー方向に伸びる平行摺動レール部４２に連続するように形成してあり、クランクレール部５１は、この開口部が昇降摺動照明カバー３の一端部に設置した昇降摺動ブラケット３１と対面し、ローラー２９をクランクレール部５１の内部に転動自在に嵌合できるようにしている。
通常時は、ローラー２９は、載置部５４内に位置している。
【００１８】
傾斜レール部５２は、図５（Ａ）に示すように、上記同形状のレール材を開口部が傾斜するように折曲形成してあり、昇降照明カバー３の他端部付近から上方他端方向に適宜角度で傾斜させた傾斜部５５を有し、その上端を折曲して上記クランクレール部５１の載置部５４と同高で水平な若干長さの載置部５６を形成し、傾斜部５５の下端を水平に折曲し、配設した平行摺動レール部４２に連続するように形成してあり、傾斜レール部５２は、この開口部が昇降摺動照明カバー３の他端部にある昇降摺動ブラケット３１と対面し、ローラー２９を傾斜レール部５２の内部に転動自在に嵌合できるようにしている。
通常時は、ローラー２９は、載置部５６内に位置している。
【００１９】
クランクレール部５１、傾斜レール部５２及びそれぞれの平行摺動レール部４２の設置位置と全長は、昇降摺動照明カバー３が隣接の平行摺動照明カバー２の照明面の外側にずれて適度に重なるように摺動でき、開口が形成できるように設定してあればよい。
上記載置部５４、５６の平行摺動レール部４２からの高さは同一とし、平行照明カバー２の高さ以上あればよい。
上記各レール部は、両平行摺動レール部４１、４２を裏面で面合わせにして結合させ、両レール部の開口部が対向外側を向くように設置すればよい。
クランクレール部５１及び傾斜レール部５２を設置する際は、図４（Ｂ）及び図５（Ｂ）に示すように、レール部を把持できる把持部５７を設けた固定板５８にクランクレール部５１の平行摺動レール部４２及び載置部５４、傾斜レール部５２の平行摺動レール部４２及び載置部５６を把持させて固定することが好ましい。これにより、クランクレール部５１及び傾斜レール部５２が補強され、照明カバーの重みにより、レール部が変形することを防止できる。
【００２０】
以下、上記照明装置１の動作態様を説明する。
図６（Ａ）に示すように、昇降摺動照明カバー３は、通常時、Ａの位置にあり、平行摺動照明カバー２と同一平面状に配している。
昇降摺動照明カバー３内方にある光源等のメンテナンスをする際は、昇降摺動照明カバー３の一端部を持って隣接カバー方向（図６では右側）へわずかに摺動させて、ローラー２９をクランクレール部５１の載置部５４から垂直部５３上端に移動させ、次いで垂直方向に引っ張って、ローラー２９を平行摺動レール部４２まで移動させれば昇降摺動照明カバー３の一端部側は、前端が外方へ張り出したＢの位置に来る。
さらに、そのまま隣接照明カバー方向に引っ張れば、ローラー２９は、平行摺動レール部４２を移動する。このとき同時に、昇降照明カバー３の他端部側は、傾斜部５５及び平行摺動レール部４２を移動する。昇降摺動照明カバー３は、平行摺動照明カバー２の照明面２３の下方で平行摺動照明カバー２と平行になり、Ｃの位置まで摺動させることができる。
上記操作は一端部を支持しながら前方へ摺動させれば、他端部はレール部に案内されて徐々にせり出してくるため、一人でも安全に昇降摺動照明カバー３を摺動させることができ、操作の簡易、効率化を図ることができる。
そして、Ｃの位置まで摺動させたら、昇降摺動照明カバー３内方にある光源等のメンテナンス作業を行うことができる。
【００２１】
その後、図６（Ｂ）に示すように、平行摺動照明カバー２及び昇降摺動照明カバー３を共に上記とは逆方向（図６では左側）のＤの位置まで摺動させ、平行摺動照明カバー２内を開放することができ、光源等のメンテナンス作業を行うことができる。
両照明カバー内のメンテナンス作業などが終了したら、平行摺動照明カバー２は、平行摺動させて元の位置に戻し、昇降摺動照明カバー３は、そのままさらに逆方向（左側）に摺動させれば昇降摺動レール部５に案内されて、元の位置に復帰する。
【００２２】
昇降摺動照明カバー３の逆側（図６の左側）に平行摺動照明カバー２が隣接設置されている場合は、昇降摺動照明カバー３は、図６（Ａ）のＣ位置状態としたまま、図７の如く、該隣接平行摺動照明カバー２を昇降摺動照明カバー３の開口位置まで平行摺動（矢印Ｉ）させれば、該隣接照明カバー位置を開口させることができ、さらに平行摺動照明カバー２が隣接していれば、順次同様（矢印ＩＩ）にして開口させることができる。
このように、照明カバーが一列に３個以上配列されている場合は、端から２個目を昇降摺動照明カバー３とし、他を平行摺動照明カバー２とするのが好ましく、多数個配列されている場合には適宜間隔ごとに昇降摺動照明カバー３を配設してもよい。
【００２３】
上記の如く、照明装置１により、容易に照明カバー内のメンテナンスを行なうことができるが、上記構成に対し、図８に示すように、さらに腕部材６を付加してもよい。腕部材６は、両端寄りに孔６１、６２を設けた板材であり、一方の孔６１は、昇降摺動ブラケット３１の取付孔３４のローラー２９と共に回動可能に取り付け、他方の孔６２には、ローラー６３を取り付けてある。腕部材６の長さは、通常時に、腕部材６が隣接照明カバー方向に下方に向き、ローラー２９が載置部５４、ローラー６３が平行摺動レール部４２に位置し、両ローラー２９、６３がクランクレール部５１及び平行摺動レール部４２内を転動自在に移動できる長さとしてある。また、腕部材６の下方付近には、引っ張りばね６４の一端を回転可能に連結し、他端は昇降摺動照明カバー３の内側寄りの枠体部分に突設した連結ブラケット６５に回動可能に連結してある。
【００２４】
このようにすると、通常時はＸ位置にある昇降摺動照明カバー３をせり出させてＹ位置に移動する際、載置部５４にあるローラー２９が垂直部５３に達し下方へ移動すると、腕部材６は、漸次水平方向に傾斜角を変える。このとき、ばね６４は、腕部材６に引かれて伸張し、復元作用が働き、図に示すＭ方向に反力が作用する。このため、ローラー２９は、垂直部５３内にあっても下方に緩やかに移動し、昇降摺動照明カバー３を勢いよく落下させることがない。
逆に、Ｙの位置からＸの位置に戻す際、昇降摺動ブラケット３１に取り付けてあるローラー２９がクランクレール部５１の垂直部５３に達したとき、腕部材６にはばね圧によるＭ方向への負荷が働くため、上昇位置決めが行いやすく、昇降摺動照明カバー３は、自ずと持ち上がるか、或いは軽く押すだけで持ち上がることとなる。
これにより、照明カバーを開閉する際には、その重量による衝撃が生じず、負担が少ないので安全に作業ができる。
【００２５】
また、照明カバーを定位置に固定し、かつ隣接照明カバー間を定間隔を保てるようにロック機構を付加することができる。
例えば、図９に示すロック機構７は、横長材の先端部を係合案内用傾斜面とし、その内側に凹状の係止部７１を設けた係止片７２の元端部を平行摺動照明カバー２の枠体２１の一端上面に突設した取付板７３に回動可能に枢止し、コイルばね等を介装して先端に下方負荷を与えて水平を保つようにすると共に、元端には引っ張り紐７４を取り付け、ばね圧に抗して平行摺動照明カバー２下方に引っ張り得るようにしておく一方、隣接する昇降摺動照明カバー３の枠体２１の隣接端上面に係止部７１に係合可能な係合杆を突設した係合部７５を形成しておく。
このようにすることにより、通常時は、係止部７１と係合部７５が噛み合っているため照明カバーが摺動することはなく定位置に固定される。
摺動させる場合は、引っ張り紐７４を引き、係止片７２を図９の破線の位置へ回転させてロック機構７を解除させればよい。係止は照明カバーを摺動させて戻すことにより、係合部７５が係止部７１に係合して行われる。
【００２６】
図１０、１１はロック機構の別の一例を示したものである。複数の照明カバーを一列状に配列した場合には、端位置の照明カバーを固定すれば、全体の照明カバーが定置しやすくなる。図示のロック機構７Ａは、端部の照明カバー用として好適なものであり、取付面７６ａと係止面７６ｂとを一体形成した横長材の係止片７６と、アングル状の係合片７７とを主な構成としてなっている。
係止片７６は、取付面７６ａの上部に穿設した取付孔にローラー２９の軸２９ａを挿通して平行摺動ブラケット２４に回転可能に取付け，平行摺動照明カバー２の枠体上側に位置するように設置されているものであり、取付面７６ａから適度な長さで係止面７６ｂを延設し、係止面の中間部と付け根の各上側に適度な間隔を置いて係合片７７が係止可能な係止凹部７６ｄ、７６ｅを形成し、中間の係止凹部７６ｄから係止面先端に至る上縁を先端下り傾斜の係合案内用傾斜部７６ｃとし、取付面７６ａの先端寄り上側は突出しないように斜め切除し、先端部を照明カバー２の枠体から若干外側方に突出するように位置させるとともに、その先端部下面を下方から当接可能な水平な操作面部７６ｆとして形成し、この操作面部７６ｆを下方に弾圧し、係止凹部７６ｄ乃至７６ｅを係止片７７に圧接係止させるように作用するバネ７８を、係止片７６と平行摺動ブラケット２４に両端を止着させて配設してなっている。
係合片７７は平行摺動レール部４１の内側に固着されており、この突出した係合部７７ａに係止凹部７６ｄ乃至７６ｅが係合するように形成してある。
【００２７】
このようにすることにより、通常時は、図１１（Ａ）に示すように、バネ７８圧を受けて、係止片７６は係止凹部７６ｄと係合部７７ａが噛み合ってロックしたＡの位置にあるため、照明カバー２が摺動することなく定位置に固定される。照明カバーを摺動させるには、隣接照明カバー２、３の間に矢印Ｂ方向にドライバーなど棒状体を挿入し、その先端を操作面部７６ｆに当てて突上げると、係止片７６は軸２９ａを中心に若干回転してＣの位置に回動し、ロック機構７Ａを解除させる。そして、同図（Ｂ）のように、照明カバー２を隣接の照明カバー３から離間するようにＤ方向に摺動させ、係止部７６ｅと係合部７７ａを噛み合せて固定すれば、隣接照明カバー２、３間の隙間が広がり、隣接の照明カバー３を摺動させることができるようになり、その後順次照明カバーを摺動させ、照明カバー内を開放させることができるものとなる。
ロック機構７、７Ａの構造は、上記のものに限定されるものではない。
【００２８】
図１２、１３は、照明カバーを下方向に開放させてその裏面を露出させ、清掃しやすいようにした開閉機構を示している。
開閉機構９３は平行摺動照明カバー２の枠体２１の四隅付近に前記のように設置したローラー２９の内、一端部両側の２個のローラー部に換えて取り付けるのが好ましく、他端部両側の２個のローラー部は前記のまま取り付けた構成として採用される。
開閉機構９３は、吊りアームブラケット９４、吊りアーム９５、９５及びスペーサ９６、ローラー９７、バネ９８を主な構成として備えている。
吊りアームブラケット９４は、立設したアーム取付面９４ａの下側に固定面９４ｅを略Ｌ字状に形成した横長で左右対称構成とした板材であり、アーム取付面９４ａ内の左右部にそれぞれ横長円形状の挿通孔９４ｂを穿設し、上部両端部をそれぞれ円弧状肩部をもって張り出した係合面９４ｃとし、それらの下側付け根部に下方開口の係合凹部９４ｄを設けてある。アーム取付面９４ａを内側に位置させ、固定面９４ｅをねじなどで枠体２１上側に固定して取り付けられる。
【００２９】
吊りアーム９５は、上記吊りアームブラケット９４よりも長い横長板材であり、その一側端辺を下辺に対して若干鈍角傾斜した下方内傾斜辺９５ａとして形成し、この一側端付近の板面内に回動軸ボルト９５ｃを挿通可能な取付孔９５ｂを穿設し、他側端寄りの板面内に挿通孔係合凹部９４ｄへの係止ボルト９５ｅを挿通可能な取付孔９５ｄ、及びローラー９７の軸を挿通可能な支持孔９５ｆを穿設して形成してある。
スペーサ９６は、吊りアームブラケット９４よりも僅かに厚みのある板材であり、面内にローラー９７の軸を挿通可能な支持孔９６ａを穿設し、端部に操作孔９６ｂを形成してある
【００３０】
上記開閉機構９３は、２枚の吊りアーム９５、９５の間に吊りアームブラケット９４とスペーサ９６を横に並べて挟むように組み合わせる。２枚の吊りアーム９５、９５及びスペーサ９６を通してボルト９５ｇを挿通固着するとともに、２枚の吊りアーム９５、９５と吊りアームブラケット９４の各取付孔９５ｂ、挿通孔９４ｂにカラー９５ｈを有した軸ボルト９５ｃを挿通固着し、２枚の吊りアーム９５、９５の取付孔９５ｄに係止ボルト９５ｅを挿通固着し、さらに２枚の吊りアーム９５、９５及びスペーサ９６の支持孔９５ｆ，９６ａ、９５ｆにローラー９７の軸を挿通固着し、さらにまた、吊りアームブラケット９４とスペーサ９６とに跨って圧縮作用するバネ９８を張設して形成してあり、上記吊りアームブラケット９４の固定面９４ｅが枠体２に固着され、ローラー９７が平行摺動レール部４１などに転動自在に嵌合して設置されている。
【００３１】
上記開閉機構９３は、図１３（Ａ）に示すように、通常時は、吊りアームブラケット９４の係合凹部９４ｄと吊りアーム９５の係止ボルト９５ｅが係合しているため、ローラー９７によって平行摺動レール部４１に支持された吊りアーム９５と吊りアームブラケット９４は一体的に水平状態を保って定置し、照明カバー２を閉状態に定置させている。
照明カバー内を清掃等するため開放する場合には、同図（Ｂ）に示すように、照明カバー２の一端部を手で上方（矢印Ａ方向）に軽く押圧すれば、吊りアームブラケット９４が上方に移動し、上記係合凹部９４ｄと係止ボルト９５ｅが外れるので、次いで、同図（Ｃ）に示すように、適宜棒状材等を下方から操作孔９６ｂに引掛けるなどしてスペーサ９６を引き出すように引張れば、スペーサ９６及び吊りアーム９５を横方向（矢印Ｂ方向）に移動させることができ、この状態で係止ボルト９５ｅは吊りアームブラケット９４から完全に外れることになり、吊りアームブラケット９４は挿通孔９４ｂを挿通したボルト９５ｃのみに支持された状態となる。
【００３２】
押圧した手を離せば、開閉機構９３はローラー９７のみで平行摺動レール部４１等に支持された状態となり、同図（Ｄ）のように、吊りアーム９５はローラー９７の軸を中心にして、傾斜辺９５ａ側を下方にした縦方向（矢印Ｃ方向）に回転し、吊りアームブラケット９４及び照明カバー２を吊りアーム９５の長さ分だけ下方に吊り下げることになる。照明カバー２の他端部は平行摺動ブラケット２４に固定したローラー２９で平行摺動レール部４１等に支持されているので、照明カバー２は片下がり傾斜状態で開放されることになり、照明カバー裏面を清掃しやすくなる。
なお、吊りアーム９５の下端辺は傾斜辺９５ａとなっていて、この辺が照明カバー開放状態において固定面９４ｅまたは枠体２１の上面に当接してストッパーとなるので、吊りアーム９５は垂直まで至らない傾斜位置で係止することができ、上記と逆手順で照明カバーを上方に押し上げて閉止する動作をスムーズにさせることができる。閉止過程で、係合面９４ｃの肩部が円弧状となっているので係止ボルト９５ｅの摺動も滑らかであり、係合凹部９４ｄと係止ボルト９５ｅの係合はバネ９８の復元力によって自動的に行なわれる。
脱着又は開閉可能な構造は上記のものに限定されるものではない。
【００３３】
次に、図１４は、照明カバーを複数列に配して照明面を形成した実施の一例を示してある。
一列は、１又は２個以上の平行摺動照明カバー２及び少なくとも１個の昇降摺動照明カバー３を配設してある。各照明カバーは、平行摺動ブラケット２４又は昇降摺動ブラケット３１及びローラー２９を介して平行摺動レール部４１又は昇降摺動レール部５と連結されている。平行摺動レール部４１乃至昇降摺動レール部５は、適宜間隔をおいて複数個のハンガー８の下端部で固定され、天井側から吊下げられている。
ハンガー８は、下部を対称二又状として、垂下片８２、８２を形成し、この下端部に平行摺動レール部４１を把持可能な把持部８１を対向外向きに形成して、各把持部８１、８１に把持された平行摺動レール部４１、４１には隣接列の平行摺動照明カバー２、２の各ローラー２９、２９が嵌合するようにしてあり、ハンガー８上部を天井と平行に固定されているＣチャンネル材等の固定バー８３に掛止可能な掛止板８４とし、中間部を杆体８５で長さ調整可能に連結してなる。
上記配列で固定すれば、照明カバー間隔を狭く、近接して多数配置できるので、天井面を有効に使用することができ、室内を明るく照明することができる。
【００３４】
図１５は、クランクレール部５１の別の一実施例を示してある。この例では、載置部９１が端部外方に向くように開口部がコの字状に折曲したコの字レール部９としてもよい。クランクレール部５１では、昇降摺動照明カバー３を摺動させるに際して、隣接照明カバーとの間隔が極く小さい場合は、まず、隣接の平行摺動照明カバー２を若干摺動させて平行摺動照明カバー２と昇降摺動照明カバー３の間隔を広げてから、昇降摺動照明カバー３を摺動させるのが好ましいが、コの字レール部９の場合は、昇降摺動照明カバー３の一端部を照明カバー内方（図１１の左方向、即ち壁方向）にわずかに引き、ローラー２９が垂直部５３に達した位置で昇降摺動照明カバー３を下方にせり出させた後、一端外方に平行摺動させることになるので、隣接照明カバー間隙の有無に係わりなく、また、昇降摺動照明カバー３を配列の端（壁側端）に位置させるのに好適である。
なお、上記各構成は、適宜に設計変更が可能であり、他の構成を付加することは任意である。
【００３５】
【発明の効果】
本発明は、照明カバーを平行摺動レール部及び昇降摺動レール部と連結して摺動できるようにすることにより、照明カバーの移動を省力的に簡便に行なうことができ、容易に照明カバー内のメンテナンスなどを行なうことができるようになり、一方を略垂直方向に、他方を斜め方向に摺動可能とすることによりその効果は一層好ましいものとなり、例えば、昇降摺動レール部をクランクレール部又はコの字レール部と傾斜レール部の組合せとすれば、安全に一人でも作業を簡便に行うことができ構成とすることができる。この照明カバーを複数配列すれば、広範囲にわたる照明面を有していても照明カバーの開閉が極めて便利な照明装置となる。開閉機構を並設することにより照明カバー裏面の清掃もより一層容易となる。
【図面の簡単な説明】
【図１】本発明の照明装置の一例の概略斜視図である。
【図２】図１の平行摺動ブラケット付近の断面図である。
【図３】図１の昇降摺動ブラケット付近の断面図である。
【図４】図１のクランクレール部付近を示し、（Ａ）は側面拡大図、（Ｂ）は斜視図である。
【図５】図１の傾斜レール部付近を示し、（Ａ）は側面拡大図、（Ｂ）は斜視図である。
【図６】図１の照明装置の動作態様を示し、（Ａ）は昇降摺動照明カバー内を開放させた場合、（Ｂ）は隣接照明カバー内を開放させた場合の概略側面図である。
【図７】複数個の照明カバーを配列した照明装置の動作態様を示した概略側面図である。
【図８】図１の照明装置に腕部材を備えた場合の側面拡大図である。
【図９】図１の照明装置にロック機構を備えた場合の側面拡大図である。
【図１０】ロック機構の他の一例を示した概略斜視図である。
【図１１】図１０のロック機構の動作態様を示し、（Ａ）はロック機構解除した場合、（Ｂ）は照明カバーを離間させるため摺動させた場合の側面図である。
【図１２】図１の照明装置に開閉機構の一例を示した分解斜視図である。
【図１３】図１２の開閉機構の動作態様を示し、（Ａ）は通常時、（Ｂ）は照明カバー上方押圧時、（Ｃ）は吊りアーム引き出し時、（Ｄ）は照明カバー内開放時の側面図である。
【図１４】複数列の照明カバーを配列した照明装置の一例の横断面図である。
【図１５】昇降摺動レール部をコの字状に形成した実施例の側面拡大図である。
【符号の説明】
１　照明装置
２　平行摺動照明カバー
２１　枠体
２２　シートクロス
２３　照明面
２４　平行摺動ブラケット
２５　傾斜面
２６　本体
２７　取付面
２８　取付孔
２９　ローラー
２９ａ　軸
３　昇降摺動照明カバー
３１　昇降摺動ブラケット
３２　本体
３３　取付面
３４　取付孔
４１、４２　平行摺動レール部
５　昇降摺動レール部
５１　クランクレール部
５２　傾斜レール部
５３　垂直部
５４　載置部
５５　傾斜部
５６　載置部
５７　把持部
５８　固定板
６　腕部材
６１、６２　孔
６３　ローラー
６４　引っ張りばね
６５　連結ブラケット
７、７Ａ　ロック機構
７１　係止部
７２　係止片
７３　取付板
７４　引っ張り紐
７５　係合部
７６　係止片
７６ａ　取付面
７６ｂ　係止面
７６ｃ　係合案内用傾斜部
７６ｄ、７６ｅ　係止凹部
７６ｆ　操作面部
７７　係合片
７７ａ　係合部
７８　バネ
８　ハンガー
８１　把持部
８２　垂下片
８３　固定バー
８４　掛止板
８５　杆体
９　コの字レール部
９１　載置部
９３　開閉機構
９４　吊りアームブラケット
９４ａ　アーム取付面
９４ｂ　挿通孔
９４ｃ　係合面
９４ｄ　係合凹部
９４ｅ　固定面
９５　吊りアーム
９５ａ　傾斜辺
９５ｂ　取付孔
９５ｃ　ボルト
９５ｄ　取付孔
９５ｅ　係止ボルト
９５ｆ　支持孔
９５ｇ　ボルト
９５ｈ　カラー
９６　スペーサ
９６ａ　支持孔
９６ｂ　操作孔
９７　ローラー
９８　バネ
【図１】
2004039441.tif 000003
【図２】
2004039441.tif 000004
【図３】
2004039441.tif 000005
【図４】
2004039441.tif 000006
【図５】
2004039441.tif 000007
【図６】
2004039441.tif 000008
【図７】
2004039441.tif 000009
【図８】
2004039441.tif 000010
【図９】
2004039441.tif 000011
【図１０】
2004039441.tif 000012
【図１１】
2004039441.tif 000013
【図１２】
2004039441.tif 000014
【図１３】
2004039441.tif 000015
【図１４】
2004039441.tif 000016
【図１５】
2004039441.tif 000017